(57)【特許請求の範囲】
【請求項１】
樹脂製であって薄厚状とされたケース本体を有し、光ファイバを収納する光ファイバ収納部および他方側に複数のコネクタを個別に並列させて収納、保持し、該コネクタ長手方向の外方に開放されたコネクタ開放口を備えたコネクタ収納部が形成されて前記光ファイバ収納部と一体とされ、該コネクタから伸延する複数の光ファイバを前記ケーブル収納部に収納し、保持する、コネクタ及び光ファイバ収納ケースにおいて、
前記コネクタ収納部は、前記収納するコネクタ毎に個別に独立したコネクタ保持部を有し、各コネクタ保持部が、前記コネクタ開放口に近接して形成され、前記コネクタ開放口の開放方向に対して直角方向に開放された光検知器取付け開放口を備え、隣接するコネクタ保持部が隔壁を介して並列させ近接させて複数形成されており、各コネクタ保持部に各コネクタが収納されたとき、各コネクタ保持部は、各コネクタ保持部配列方向の横幅が、各コネクタからの漏洩した光を検知する該光検知器の横幅以下であり、
前記コネクタ保持部が、前記光検知器取付け開放口に向けて延在し、該光検知器を載置する板部を備えること
を特徴とするコネクタ及び光ファイバ収納ケース。
【請求項２】
請求項１において、前記コネクタ収納部のコネクタ保持部は、平行した隔壁によって形成され、前記光検知器取付け開放口に近接して前記光検知器の一部を嵌め込む取付け用空間部を有することを特徴とするコネクタ及び光ファイバ収納ケース。
【請求項３】
請求項１または２において、前記コネクタ収納部のコネクタ保持部は、前記板部の入口側前方に、前記光検知器取付け開放口の一部をなし、前記コネクタに形成された光漏洩検出孔を塞ぐ光漏洩検出孔閉塞板の回転する入口側前方部開放口を有することを特徴とするコネクタ及び光ファイバ収納ケース。
【請求項４】
請求項１または２において、前記コネクタ収納部のコネクタ保持部は、前記板部の側方に、前記光検知器取付け開放口の一部をなし、前記コネクタに形成した光漏洩検出孔を塞ぐ光漏洩検出孔閉塞板を回転させる回転部材の回転用の回転用開放口が形成されていることを特徴とするコネクタ及び光ファイバ収納ケース。
【請求項５】
請求項１から４のいずれかに記載したコネクタおよび光ファイバケーブル収納ケースを用い、前記コネクタ収納部の各コネクタ保持部が個別に独立してコネクタを収納し、前記光検知器取付け開放口に取付けられた光検知器によって該コネクタからの光漏洩検知するようにしたことを特徴とするコネクタ及び光ファイバ収納器具。
【発明の詳細な説明】
【技術分野】
【０００１】
本発明は、コネクタ及び光ファイバ収納ケース、並びにこの光ファイバ収納ケースにコネクタ及び光ファイバを収納した光ファイバ収納器具に関する。
【背景技術】
【０００２】
従来、特許文献１に記載されているように、光ファイバを収納する本体を備え、本来の一端部には接続用光コネクタが取付けられ、本体の他端部の他端面に開口するコード導出口から光ファイバが外側に引き出すようにした構造の光分岐モジュールが記載されている。
【０００３】
特許文献２には、光ファイバ心線用漏光検出装置が記載されている。
【先行技術文献】
【特許文献】
【０００４】
【特許文献１】特開２００４−４８６２号公報
【特許文献２】特開平８−４３２４９号公報
【発明の概要】
【発明が解決しようとする課題】
【０００５】
光モジュールのように、コネクタ（光コネクタ）及び光ファイバを１つの収納ケースに収納することが行われる。この場合に、従来複数のコネクタ及び複数の光ファイバが１つの収納ケースに収納される。各コネクタの区別は、トレイに番号を記載するなどして区別している。一方、各コネクタの箇所で実際に通信が行なわれているか否かを判別することは出来ないため、各コネクタを本体に組み込んだ状態で、各コネクタにおける接続を検出することができると便利である。
【０００６】
本発明は、かかる点に鑑みて１つの収納ケースに複数のコネクタを収納した状態で、光検知器による光漏洩検知を行うために、該収納ケースを従来の収納ケースに対して大きくすることなく、各コネクタにおける接続を光検知器によって容易に検査できるようにしたコネクタ及び光ファイバ収納ケースを提供することを目的とする。
【課題を解決するための手段】
【０００７】
本発明は、樹脂製であって薄厚状とされたケース本体を有し、光ファイバを収納する光ファイバ収納部および他方側に複数のコネクタを個別に並列させて収納、保持し、該コネクタ長手方向の外方に開放されたコネクタ開放口を備えたコネクタ収納部が形成されて前記光ファイバ収納部と一体とされ、該コネクタから伸延する複数の光ファイバを前記ケーブル収納部に収納し、保持する、コネクタ及び光ファイバ収納ケースにおいて、
前記コネクタ収納部は、前記収納するコネクタ毎に個別に独立したコネクタ保持部を有し、各コネクタ保持部が、前記コネクタ開放口に近接して形成され、前記コネクタ開放口の開放方向に対して直角方向に開放された光検知器取付け開放口を備え、隣接するコネクタ保持部が隔壁を介して並列させ近接させて複数形成されており、各コネクタ保持部に各コネクタが収納されたとき、各コネクタ保持部は、各コネクタ保持部配列方向の横幅が、各コネクタからの漏洩した光を検知する該光検知器の横幅以下であり、
前記コネクタ保持部が、前記光検知器取付け開放口に向けて延在し、該光検知器を載置する板部を備えること
を特徴とするコネクタ及び光ファイバ収納ケースを提供する。
【０００９】
本発明は、また、前記コネクタ収納部のコネクタ保持部は、平行した隔壁によって形成され、前記光検知器取付け開放口に近接して前記光検知器の一部を嵌め込む取付け用空間部を有することを特徴とするコネクタ及び光ファイバ収納ケースを提供する。
【００１０】
本発明は、また、前記コネクタ収納部のコネクタ保持部は、前記板部の入口側前方に、
前記光検知器取付け開放口の一部をなし、前記コネクタに形成された光漏洩検出孔を塞ぐ
光漏洩検出孔閉塞板の回転する入口側前方部開放口を有することを特徴とするコネクタ及
び光ファイバ収納ケースを提供する。
【００１１】
本発明は、また、前記コネクタ収納部のコネクタ保持部は、前記板部の側方に、前記光検知器取付け開放口の一部をなし、前記コネクタに形成した光漏洩検出孔を塞ぐ光漏洩検出孔閉塞板を回転させる回転部材の回転用の回転用開放口が形成されていることを特徴とするコネクタ及び光ファイバ収納ケースを提供する。
【００１２】
本発明は、また、前記コネクタおよび光ファイバケーブル収納ケースを用い、前記コネクタ収納部の各コネクタ保持部が個別に独立してコネクタを収納し、前記光検知器取付け開放口に取付けられた光検知器によって該コネクタからの光漏洩検知するようにしたことを特徴とするコネクタ及び光ファイバ収納器具を提供する。
【発明の効果】
【００１３】
本発明は、上述したように、光検知器取付け開放口が設けられて光検知器による光漏洩検知を可能とするばかりでなく、隣接するコネクタ保持部が隔壁を介して並列させ近接させた状態で設けられているので、複数のコネクタを収納した状態で、光検知器による光漏洩検知を行うために、該収納ケースを従来ケースに対して大きくすることなく、各コネクタにおける接続を光検知器によって容易に検査することができる。
【図面の簡単な説明】
【００１４】
【図１】本発明の実施例の全体構成を示す斜視図。
【図２】実施例のコネクタ及び光ファイバ収納ケースを表側から見た斜視図。
【図３】実施例のコネクタ及び光ファイバ収納ケースを裏側から見た斜視図。
【図４】図３に対応し、コネクタを収納した状態を示す斜視図。
【図５】図４に対応し、コネクタを収納した状態を表側から見た斜視図。
【図６】図５に対応し、光検知器をコネクタ及び光ファイバ収納ケースに操着しようとすることを示す斜視図。
【図７】図６に対応した側面図。
【発明を実施するための形態】
【００１５】
以下、本発明の実施例を図面に基づいて説明する。
【実施例】
【００１６】
図１は、本発明の実施例であるコネクタ及び光ファイバ収納ケース（プレ配線モジュール）の全体構成を示す斜視図、図２は、図１を表側から見て蓋が両開きした状態の斜視図、図３は、図１を裏側から見て蓋が両開きした状態の斜視図である。
【００１７】
これらの図において、実施例であるコネクタ及び光ファイバ収納ケース１００は、樹脂製であって薄厚状四角形とされたケース本体１を有し、本体１は、光ファイバを収納する光ファイバ収納部２及びコネクタ収納部３から構成される。
【００１８】
光ファイバ収納部２及びコネクタ収納部３は一体成形によって一体的なものとして形成される。
【００１９】
本体１には、表側蓋４及び、裏側蓋５（裏側蓋５は大型蓋５Ａと小型蓋５Ｂとから形成されている。）が回転可能に取り付けてあり、表側から光ファイバ収納部２及びコネクタ収納部３の全体及び裏側から光ファイバ収納部２を閉塞する。
【００２０】
光ファイバ収納部２は、平面断面でほぼ正方形をなし、平面断面の中央部に隔離板１１が成形され、隔離板１１の両側、すなわち上下部にそれぞれ上部光ファイバ収納部１２、下部光ファイバ収納部１３が形成される。
【００２１】
上部光ファイバ収納部１２は、周囲外縁壁１５、両面からなる中心部円周壁１６、それらの中間に円弧状に配設された中間円弧状隔壁１７、案内路形成壁１８、出口案内路形成壁１９、導出路形成壁２０、周囲外縁壁１５から中心部方向に突出し、薄板状の押さえ片となる突出押さえ片２１、中心部円周壁１６から外方に突出し、薄板状の押さえ片となる突出押さえ片２２を備える。
【００２２】
周囲外縁壁１５と外方の中間円弧状隔壁１７との間、及び内方の中間円弧状隔壁１７と中心部円周壁１６との間にはそれぞれ円周状の上側の光ファイバ収納溝２３、２４が形成され、これらの円周状の光ファイバ収納溝２３、２４の上方面には複数の突出押さえ片２１、２２が配され、光ファイバ収納溝２３、２４に配設される光ファイバ３０の上方押さえとなる。図１には、配設された光ファイバ３０の一部が記載してある。
【００２３】
下部光ファイバ収納部１３と上部光ファイバ収納部１２とを連通させる連通口２５が外側の光ファイバ収納溝２３の一部に形成してある。連通口２５は小型蓋５Ｂによって塞がれることになる。
【００２４】
コネクタ収納部３の下部光ファイバ収納部１３から連通路２５を介してから延在された光ファイバ３０は、内側の光ファイバ収納溝２４を突出押さえ片２２に案内されて周回され、更に外側の光ファイバ収納溝２３を突出押さえ片２１に案内されて周回され、その間に案内路形成壁１８によって形成された案内路を通り、出口案内路形成壁１９によって形成された案内路を通り、導出路形成壁２０によって形成された導出路を通って、その先端部が外部に引き出されることになる。
【００２５】
下部光ファイバ収納部１３は、中心部円周壁３１、中間円弧状隔壁３２、複数の突出押さえ片３３、３４が形成され、下側の光ファイバ収納溝３５、３６が形成される。光ファイバ収納溝３５に面して上述した連通路２５が形成され、下側の光ファイバ収納溝３５を上側の光ファイバ収納溝２３に連通させる。
【００２６】
図３において、２１Ａ、２２Ａは上述した突出押さえ片２１、２２を形成させるための窪みであり、１８Ａ、１９Ａは案内路形成壁１８によって案内路を形成するための外面壁であり、出口案内路形成壁によって出口案内路を形成するための外側壁である。
【００２７】
コネクタ収納部３と下部光ファイバ収納部１３との間には隔壁はなく、全面に亘って開放、連通している。
【００２８】
従って、コネクタ収納部３から各部位からの光ファイバ３０は、全面に亘って開放、連通した連通口３７を通って、下部光ファイバ収納部１３に引き込まれる。引き込まれた光ファイバ３０は、内側の光ファイバ収納溝３６を突出押さえ片３４に案内されて周回され、更に外側の光ファイバ収納溝３７を突出押さえ片３３に案内されて周回され、連通口２５を通って、上側光ファイバ収納部１２へと配設される。
【００２９】
コネクタ収納部３は、上述したように、光ファイバ収納部２と一成形成され、外壁４０は、光ファイバ収納部の外壁４１が延長された形成となる。これらの外壁４０に囲まれた形で、その内部に複数のコネクタ保持部４２が設けられる。本例の場合、４つのコネクタ保持部４２Ａ、４２Ｂ、４１Ｃ、４２Ｄが形成してあるが、複数であれば４つには限定されない。コネクタ保持部４２Ａ、４２Ｂ、４２Ｄの構造はほぼ同様であるので、コネクタ保持部４２として説明する。
【００３０】
コネクタ保持部４２は、収納するコネクタ毎に個別に独立した構造とされる。
【００３１】
コネクタ保持部４２は、それぞれ光ファイバ収納部２の方向に延在する薄い隔壁４３によって区割される。すなわち隣接するコネクタ保持部４２は隔壁４３を介して隣接して配設される。すなわち隔壁４３は３つ設けられ、最外端は外壁４０とされる。
【００３２】
隣接する隔壁４３によって、あるいは隔壁４３と外壁４０とによって形成される各空間部が各コネクタ保持部４２内に形成される空間部４４となる。空間部４４はコネクタを収容する体積に必要な空間を有するものとされ、コネクタ１個収納すれば充分ある。
【００３３】
各空間部４４は、入口側外壁４１Ａに開口するコネクタ開放口４５に連通し、コネクタ開放口４５を介して外部と連通する。
【００３４】
コネクタ収納部３は、隔離板１１に一体成形され、上側に滑らかに立ち上がった平面板５１を有する。この平面部５１の一部に、光検知器取付け開放口５５が形成される。この平面板５１を上面とし、隔壁４３あるいは外壁４０を上側側壁とし、入口側外壁４１Ａを入口側壁として上述した空間部４４が形成してあり、空間部４４は、下側は開放され、上側は、光検知器取付け開放口５５となる。光ファイバ収納部２側も開放され、連通口３７を介して下側の光ファイバ収納溝３５に開放される。
【００３５】
このように、隣接する光検知器取付け開放口５５が、隔壁４３を介して並列され、近接されて複数形成される。
【００３６】
空間部４４は、下側の光ファイバ収納溝３５に向けて空間部４４に形成された通路を狭めるようにして隔壁４３あるいは外壁４０から内方に突出し、対向する２つの突出壁５２、５３を備える。突出壁５２あるいは５３と隔壁４３あるいは外壁４０との間に小空間５４が形成される。突出壁５２の入口側先端には切欠き部５２Ａが形成され、これらの切欠き部５２Ａにコネクタの一部が接触することによって、コネクタの側方の保持がなされる。反対側の突出壁５３にも切欠き部５３Ａ（図４）が形成される。空間部４４は、上述したように、上方側に開口する光検知器取付け開放口５５を備える。
【００３７】
平面板５１には、同一面上に、突出壁５２、５３の先端を超えて光検知器取付け開放口５５の一部を塞ぐようにしてこの開放口５５の中途まで延在する板部５６が形成される。板部５６は底板となる。
【００３８】
従って、空間部４４は、この板部５６の入口側前方及び両側方において上部に開放され、この開放された口が上述した光検知器取付け開放口５５となる。この取付け開放口５５の入口側前方部開放口を５５Ａ、側方部開放口を５５Ｂ、５５Ｃで示す。側方部開放口５５Ｂは側方部開放口５５Ｃに比べて大きな開放面積とされる。
【００３９】
入口側外壁４１Ａに近接して光検知器取付け開放口５５の入口側前方部開放口５５Ａに向けて平行の２つの隔壁６０、６１がそれぞれ間隙を置いて両側から設けられ、これらの２つの隔壁の間隙は、後述するように、コネクタ７１を挟み込んで保持する空間部６２、６３とされる。従って、コネクタ７１は、空間部４４に収納され、板部５６上に配置され、空間部６２、６３によって挟み込まれて保持され得て、コネクタ保持部４２に保持され得る。
【００４０】
図１及び図２において、コネクタ収納部３は、平板面５１上に光検知器取付け用の孔６８、６９を備える。
【００４１】
図４は、図３に示す構成において、空間部４４にコネクタ７１を収納した状態を示す。コネクタ７１の一部７７は、入口側のコネクタ開放口４５から外方に突出する。図４において、コネクタ７１は板部５６に載置されて、コネクタ７１の光ファイバ収納部２側の右端は、切欠き部５２Ａ、５３Ａによって保持され、コネクタ７１の中央部はコネクタ７１から突出する突出部７２、７３が平行の２つの隔壁６０、６１によって形成された空間部６２、６３に嵌め込まれて収納される。
【００４２】
図５は、コネクタ保持部４２にコネクタ７１を収納して、収納状態を上側から見た図である。
【００４３】
コネクタ７１には、光漏洩検出孔８１が設けられ、この光漏洩検出孔８１を閉塞するように光漏洩検出孔閉塞体板８２及び光漏洩検出孔閉塞板８２を回転させて閉塞させる回転部材８３が設けられる。
【００４４】
このような場合に、両側方部開放口内で、回転部材８３が支点（図示せず）を中心として回転し、光漏洩検出孔閉塞板８２が光漏洩検出孔８１を閉塞する。
【００４５】
図６は、図５に示すように、コネクタ保持部４２にコネクタ７１を収納した状態で、コネクタ７１の光漏洩状態、すなわちコネクタ７１の接続状態を検査するために光検知器９０を、コネクタ収納部３に設けた光検知器取付け用の孔６８、６９を利用して取り付ける状況を示す。図６は、この場合の斜視図であり、図７は側面からの側面図である。
【００４６】
これらの図において、光検知器９０の取付け足９１、９２が光検知器取付け用孔６８、６９にしっかりと取り付けられるものとする。
【００４７】
本例では、隣接する光検知器取付け開放口５５が薄い隔壁４３を介して並列させ近接させて複数形成されている。
【００４８】
光検知器９０の各コネクタ保持部４２を横断する方向の横幅は、各コネクタ保持部４２の同方向の横幅に対して大きいが、隣接する２つのコネクタ保持部４２の同方向の横幅に比べて小さい。
【００４９】
従って、光検知器９０による並列されたコネクタの光漏洩検知に当たっては、個別に順次行うことによる。
【００５０】
このように、隣接する光検知器取付け開放口を隔壁４３を介して並列させ近接させて複数形成し、隣接する２つのコネクタ保持部４２の横幅は、光検知器の横幅より大きくすることによって、各コネクタ保持部４２の横幅が光検知器の横幅以下として従来のようにコネクタ及び光ファイバ収納ケース１００の横幅を設定しても、光検知器による光漏洩検知には何等の差しつかえも生じない。すなわち、各コネクタ保持部に各コネクタが収納されたとき、各コネクタ保持部４２は、各コネクタ保持部配列方向の横幅が、光検知器９０による検知を個別に順次行うよう制限範囲に設定される。
【符号の説明】
【００５１】
１…本体、２…光ファイバ収納部、３…コネクタ収納部、１１…隔離板、１２…上部光ファイバ収納部、１３…下部光ファイバ収納部、４０…外壁、４１…外壁、４２、４２Ａ、４２Ｂ、４２Ｃ、４２Ｄ…コネクタ保持部、４３…隔壁、４４…空間部、４５…コネクタ開放口、５１…平面板、５２、５３…突出壁、５５…光検知器取付け開放口、５５Ａ…入口側前方開放口、５５Ｂ、５５Ｃ…側方部開放口、５６…板部、６０、６１…平行な２つの隔壁、６２、６３…空間部、７１…コネクタ、８１…光漏洩検出孔、８２…光漏洩検出孔閉塞板、８３…回転部材、９０…光検知器、１００…コネクタ及び光ファイバ収納ケース（プレ配線モジュール）。
【図１】
0005549332.tif 000002
【図２】
0005549332.tif 000003
【図３】
0005549332.tif 000004
【図４】
0005549332.tif 000005
【図５】
0005549332.tif 000006
【図６】
0005549332.tif 000007
【図７】
0005549332.tif 000008